(57)【要約】【課題】  イメージログとして保存するのが適切なログ画像データのみを選択することができる画像処理装置、画像処理システム及び画像処理プログラムを提供する。【解決手段】  アプリケーション２６等からジョブ取得部１０がジョブを取得すると、画像データ検知部１２がジョブに含まれる画像データを読み出す。読み出した画像データの中に、白紙原稿が含まれている場合に、画像データ検知部１２は、検出した白紙原稿を流出管理をしない所定の画像データとして画像データ選択部１４に通知する。画像データ選択部１４は、ジョブに含まれる画像データから上記白紙原稿を除いた画像データをログ画像生成部１８に渡し、白紙原稿を除いたログ画像データを作成する。【選択図】        図１
2008225928.tif 000002
【特許請求の範囲】
【請求項１】
画像データ及びその処理手続を含んで構成されるジョブを実行した際に、前記画像データからログ画像データとする画像データを選択する画像データ選択手段と、
前記画像データ選択手段が選択した画像データに基づいてログ画像データを生成するログ画像生成手段と、
を備えることを特徴とする画像処理装置。
【請求項２】
請求項１記載の画像処理装置は、流出管理をしない所定の画像データをジョブに含まれる画像データから検知する画像データ検知手段を備え、前記画像データ選択手段は、前記画像データ検知手段が検知した所定の画像データを除いてログ画像データとする画像データを選択することを特徴とする画像処理装置。
【請求項３】
請求項１または請求項２記載の画像処理装置は、前記画像データ選択手段が選択した画像データに、所定の縮小画像データを付加する画像データ付加手段を備えることを特徴とする画像処理装置。
【請求項４】
請求項３記載の画像処理装置において、前記縮小画像データには、検索語情報が含まれることを特徴とする画像処理装置。
【請求項５】
請求項３記載の画像処理装置において、前記画像データ付加手段は、縮小画像データの代わりに流出管理をしない所定の画像データを表す情報を付加することを特徴とする画像処理装置。
【請求項６】
画像データ及びその処理手続を含んで構成されるジョブを実行した際に、前記画像データからログ画像データとする画像データを選択する画像データ選択手段と、
前記画像データ選択手段が選択した画像データに基づいてログ画像データを生成するログ画像生成手段と、
前記ログ画像データを管理手段に転送する画像転送手段と、
前記転送されたログ画像データを記憶する管理手段と、
を備えることを特徴とする画像処理システム。
【請求項７】
請求項６記載の画像処理システムは、前記画像データ選択手段が選択した画像データに、所定の縮小画像データを付加する画像データ付加手段を備えることを特徴とする画像処理システム。
【請求項８】
請求項７記載の画像処理装置において、前記縮小画像データには、検索語情報が含まれることを特徴とする画像処理システム。
【請求項９】
請求項７記載の画像処理装置において、前記画像データ付加手段は、縮小画像データの代わりに流出管理をしない所定の画像データを表す情報を付加することを特徴とする画像処理システム。
【請求項１０】
コンピュータを、
画像データ及びその処理手続を含んで構成されるジョブを実行した際に、前記画像データからログ画像データとする画像データを選択する画像データ選択手段、及び
前記画像データ選択手段が選択した画像データに基づいてログ画像データを生成するログ画像生成手段と、
として機能させることを特徴とする画像処理プログラム。
【発明の詳細な説明】
【技術分野】
【０００１】
本発明は、画像処理装置、画像処理システム及び画像処理プログラムに関する。
【背景技術】
【０００２】
従来より、ＬＡＮ（ローカルエリアネットワーク）に複数のクライアントとプリンタ等の出力装置が接続され、複数の利用者が出力装置を共有可能な画像処理システムが実用化されている。このような画像処理システムでは、出力すべき画像データをクライアントで生成し、この画像データ及びその処理手続を含んで構成されるジョブを、ネットワーク上で共有される出力装置に送信して画像データを出力することができる。この場合、情報漏洩の抑止等を目的として、プリント・ジョブなどの各種ジョブの画像データとジョブログとを生成し、これらをイメージログとして文書管理サーバ等に登録し、後にクライアントから検索、閲覧する技術も提案されている（例えば、特許文献１参照）。
【０００３】
上記ジョブは、同時期に複数発生する場合もあり、各ジョブ毎に出力される印刷物を区別するための合紙が使用される場合がある。また、文字情報が記載されていない白紙の表紙が使用される場合もある。このような場合には、合紙、白紙の表紙等の、イメージログの目的からは不要と判断される画像データもイメージログとして保存される。
【特許文献１】特開２００６−１６３９０４号公報
【発明の開示】
【発明が解決しようとする課題】
【０００４】
本発明の目的は、イメージログとして保存するのが適切なログ画像データのみを選択することができる画像処理装置、画像処理システム及び画像処理プログラムを提供することにある。
【課題を解決するための手段】
【０００５】
上記目的を達成するために、請求項１記載の画像処理装置の発明は、画像データ及びその処理手続を含んで構成されるジョブを実行した際に、前記画像データからログ画像データとする画像データを選択する画像データ選択手段と、前記画像データ選択手段が選択した画像データに基づいてログ画像データを生成するログ画像生成手段と、を備えることを特徴とする。
【０００６】
請求項２記載の発明は、請求項１記載の発明が、流出管理をしない所定の画像データをジョブに含まれる画像データから検知する画像データ検知手段を備え、前記画像データ選択手段は、前記画像データ検知手段が検知した所定の画像データを除いてログ画像データとする画像データを選択することを特徴とする。
【０００７】
請求項３記載の発明は、請求項１または請求項２記載の発明が、前記画像データ選択手段が選択した画像データに、所定の縮小画像データを付加する画像データ付加手段を備えることを特徴とする。
【０００８】
請求項４記載の発明は、請求項３記載の発明において、前記縮小画像データに、検索語情報が含まれることを特徴とする。
【０００９】
請求項５記載の発明は、請求項３記載の発明において、前記画像データ付加手段が、縮小画像データの代わりに流出管理をしない所定の画像データを表す情報を付加することを特徴とする。
【００１０】
請求項６記載の画像処理システムの発明は、画像データ及びその処理手続を含んで構成されるジョブを実行した際に、前記画像データからログ画像データとする画像データを選択する画像データ選択手段と、前記画像データ選択手段が選択した画像データに基づいてログ画像データを生成するログ画像生成手段と、前記ログ画像データを管理手段に転送する画像転送手段と、前記転送されたログ画像データを記憶する管理手段と、を備えることを特徴とする。
【００１１】
請求項７記載の発明は、請求項６記載の発明が、前記画像データ選択手段が選択した画像データに、所定の縮小画像データを付加する画像データ付加手段を備えることを特徴とする。
【００１２】
請求項８記載の発明は、請求項７記載の発明において、前記縮小画像データに、検索語情報が含まれることを特徴とする。
【００１３】
請求項９記載の発明は、請求項７記載の発明において、前記画像データ付加手段が、縮小画像データの代わりに流出管理をしない所定の画像データを表す情報を付加することを特徴とする。
【００１４】
請求項１０記載の画像処理プログラムの発明は、コンピュータを、画像データ及びその処理手続を含んで構成されるジョブを実行した際に、前記画像データからログ画像データとする画像データを選択する画像データ選択手段、及び前記画像データ選択手段が選択した画像データに基づいてログ画像データを生成するログ画像生成手段と、として機能させることを特徴とする。
【発明の効果】
【００１５】
請求項１の発明によれば、イメージログとして保存するのが適切なログ画像データのみを選択することができる画像処理装置を提供できる。
【００１６】
請求項２の発明によれば、本構成を有しない場合と比較して、流出管理をしない所定の画像データをイメージログから除き、記憶部の容量を節約することができる。
【００１７】
請求項３の発明によれば、本構成を有しない場合と比較して、記憶部の容量を節約しつつ、元の画像データに近似するログ画像データを作成できる。
【００１８】
請求項４の発明によれば、本構成を有しない場合と比較して、検索語情報により検索精度を向上することができる。
【００１９】
請求項５の発明によれば、本構成を有しない場合と比較して、記憶部に転送するログ画像データの容量を小さくすることができる。
【００２０】
請求項６の発明によれば、イメージログとして保存するのが適切なログ画像データのみを選択することができる画像処理システムを提供できる。
【００２１】
請求項７の発明によれば、本構成を有しない場合と比較して、記憶部の容量を節約しつつ、元の画像データに近似するログ画像データを作成する画像処理システムを提供できる。
【００２２】
請求項８の発明によれば、本構成を有しない場合と比較して、検索語情報により検索精度を向上することができる画像処理システムを提供できる。
【００２３】
請求項９の発明によれば、本構成を有しない場合と比較して、記憶部に転送するログ画像データの容量を小さくすることができる画像処理システムを提供できる。
【００２４】
請求項１０の発明によれば、イメージログとして保存するのが適切なログ画像データのみを選択することができる画像処理プログラムを提供できる。
【発明を実施するための最良の形態】
【００２５】
以下、本発明を実施するための最良の形態（以下、実施形態という）を、図面に従って説明する。
【００２６】
図１には、本発明にかかる画像処理装置の一実施形態の機能ブロック図が示される。図１において、画像処理装置は、ジョブ取得部１０、画像データ検知部１２、画像データ選択部１４、画像データ付加部１６、ログ画像生成部１８、ログ画像転送部２０、画像データ出力部２２及び記憶部２４を含んで構成されている。
【００２７】
ジョブ取得部１０は、中央処理装置（例えばＣＰＵを用いることができる）及びＣＰＵの処理動作を制御するプログラムにより実現され、アプリケーション２６から文字、図形、写真等の画像データ及びその処理手続を含んで構成されるジョブを取得する。なお、アプリケーション２６は、画像データ出力部２２による出力対象である画像データを処理手続とともにジョブとして出力する機能を有する一般的なソフトウエアである。
【００２８】
画像データ検知部１２は、例えばＣＰＵ及びＣＰＵの処理動作を制御するプログラムにより実現され、流出管理をしない所定の画像データを検知する。ここで、流出管理をしない所定の画像データとは、ジョブ取得部１０が取得したジョブに含まれる画像データの中で、画像データ出力部２２から出力されたことを後に検知するためのログ画像データを保存する必要のない画像データである。例えば、各ジョブ毎に出力される印刷物を区別するための合紙、文字データ等が存在しない白紙表紙、印刷装置等の設定データやエラー履歴等が記載されたユーティリティプリント等が流出管理をしない所定の画像データの例である。これらの流出管理をしない所定の画像データは、ジョブにおいて予め画像データの種類及び流出管理の要否を指定しておくこと等により検知することができる。また、白紙の画像データは、白紙検知により検知してもよい。
【００２９】
画像データ選択部１４は、例えばＣＰＵ及びＣＰＵの処理動作を制御するプログラムにより実現され、ジョブに含まれる画像データの中で、上記画像データ検知部１２が検知した流出管理をしない所定の画像データを除いた残りの画像データを、ログ画像データとして選択する。なお、流出管理をしない所定の画像データを利用者が画像データ選択部１４に対して指定する構成としてもよい。この場合には、上記画像データ検知部１２は不要となる。
【００３０】
画像データ付加部１６は、例えばＣＰＵ及びＣＰＵの処理動作を制御するプログラムにより実現され、上記画像データ選択部１４が選択した画像データに、所定の縮小画像データを付加する。この縮小画像データは、上記画像データ検知部１２が検知した流出管理をしない所定の画像データを、ログ画像データの設定サイズよりも縮小したものである。これにより、画像データ選択部１４が選択しなかった画像をログ画像データとして残すとともに、画像データの縮小処理により記憶部２４の記憶容量を節約する。なお、縮小画像データの代わりに、流出管理をしない所定の画像データを表す情報を付加してもよい。また、画像データ付加部１６が所定の縮小画像データを付加するか否かは、利用者の指示に基づいて決定する。
【００３１】
ログ画像生成部１８は、例えばＣＰＵ及びＣＰＵの処理動作を制御するプログラムにより実現され、画像データ選択部１４が選択した画像データに基づいてログ画像データを生成する。なお、ログ画像データには、上記画像データ付加部１６が付加した所定の縮小画像データを含めてもよい。ここで、上記ログ画像データとは、画像データ出力部２２が出力した画像データを記録しておき、後に検索するための画像情報である。このログ画像データは、画像データ及びその処理手続を含んで構成されるジョブの実行記録であるジョブログとともにイメージログとして記憶部２４に記憶される。なお、ジョブログの内容には、例えばジョブの実行年月日、実行時間、印刷ジョブにおける印刷枚数、カラー・白黒の区別、用紙サイズ、紙詰まりの有無等がある。
【００３２】
ログ画像転送部２０は、例えばＣＰＵ及びＣＰＵの処理動作を制御するプログラムにより実現され、ログ画像生成部１８が生成したログ画像データを受け取って記憶部２４に転送する。なお、記憶部２４がログ画像生成部１８とは別の装置（管理サーバ等）に設けられている場合には、通信インターフェースによりネットワーク等の通信手段を介して管理サーバにログ画像データを転送する。
【００３３】
画像データ出力部２２は、例えばＣＰＵ及びＣＰＵの処理動作を制御するプログラム並びに出力インターフェースにより実現され、ジョブ取得部１０が受け付けたジョブに基づいて画像データを出力する。出力先は特に限定されないが、例えばネットワーク等の通信手段を介して接続された印刷装置、ファクシミリ装置等がある。
【００３４】
記憶部２４は、例えばＣＰＵの作業メモリとして使用されるランダムアクセスメモリ（ＲＡＭ）、読み出し専用メモリ（ＲＯＭ）またはハードディスク装置等の磁気記憶装置その他のコンピュータが読み取り可能な記憶装置等で実現され、上記ＣＰＵの処理動作を制御するプログラム、ジョブ、ログ画像データ等を記憶する。
【００３５】
なお、上記図１に示された画像処理装置の一部の構成を専用のハードウェア（例えばＡＳＩＣ等）で構成してもよい。また、各構成は複数の装置に分散配置され、互いに通信手段で接続されている形態でもよい。また、画像処理装置が複数互いに通信手段によって接続されていて互いに協調動作する構成としてもよい。さらに、複写機、ファックス、スキャナ、印刷装置、複合機（多機能複写機とも呼ばれ、スキャナ、印刷装置、複写機、ファックス等の機能を有している）などに組み込まれていてもよい。
【００３６】
図２には、本実施形態にかかる画像処理システムの構成例が示される。図２において、画像処理システムは、クライアントコンピュータ１００、複合機２００、管理サーバ３００及び通信手段４００を含んで構成されている。ここで、図１に示された各構成要素は、クライアントコンピュータ１００、複合機２００及び管理サーバ３００のいずれに設けてもよい。例えば、アプリケーション２６をクライアントコンピュータ１００に、ジョブ取得部１０、画像データ検知部１２、画像データ選択部１４、画像データ付加部１６、ログ画像生成部１８、ログ画像転送部２０、画像データ出力部２２を複合機２００に、記憶部２４を管理サーバ３００に設ける構成とする。
【００３７】
このような構成により、クライアントコンピュータ１００で生成したジョブを通信手段４００を介して受け取った複合機２００が、当該ジョブを実行し、画像データの印刷処理を行う。この際、ログ画像生成部１８は、ジョブに含まれていた画像データに基づきログ画像データを生成する。このログ画像データには、画像データ検知部１２が検知した流出管理をしない所定の画像データは含まれない。ログ画像転送部２０は、ログ画像生成部１８が生成したログ画像データを管理サーバ３００に送信する。管理サーバ３００では、受け取ったログ画像データを記憶部２４に記憶する。なお、画像データを複合機２００がコピー等により取得し、印刷する場合にも、複合機２００により上記同様にログ画像データを生成して、管理サーバ３００に送信することができる。この場合には、クライアントコンピュータ１００は不要となる。
【００３８】
なお、上記管理サーバ３００では、クライアントコンピュータ１００等からの検索要求を受け付け、格納しているログ画像データの検索を実行する。この検索には、例えば光学式文字読取処理による検索、類似画像検索等を使用するのが好適である。
【００３９】
また、以上に述べた構成では、管理サーバ３００を独立したコンピュータ上で動作させているが、例えば複合機２００に管理サーバの機能を持たせてもよい。
【００４０】
図３（ａ），（ｂ），（ｃ），（ｄ），（ｅ）には、ログ画像データの説明図が示される。図３（ａ）は複合機２００等において印刷された原稿であり、図３（ｂ），（ｃ），（ｄ），（ｅ）は、上記原稿の印刷ジョブの実行に伴って生成されたログ画像データの例である。
【００４１】
図３（ａ）では、２枚の原稿画像ＩとＩＩＩの間に、白紙原稿ＩＩが合紙等として挟まれている。なお、原稿画像ＩとＩＩＩは、それぞれ複数ページであってもよい。
【００４２】
図３（ｂ）の例では、ログ画像データとして原稿画像ＩとＩＩＩが使用され、白紙原稿ＩＩが除かれている。これは、例えば画像データ検知部１２が白紙原稿ＩＩを流出管理をしない所定の画像データとして検出し、画像データ選択部１４に通知することにより、画像データ選択部１４がログ画像データとして原稿画像ＩとＩＩＩを選択することにより実現される。なお、利用者が予めジョブの内容等として白紙原稿ＩＩをログ画像データに含めない指示をする構成としてもよい。
【００４３】
図３（ｃ）の例では、ログ画像データとして原稿画像ＩとＩＩＩが使用され、合わせて縮小された白紙原稿ＩＩが含まれている。これは、例えば画像データ検知部１２が検知した白紙原稿ＩＩを、画像データ選択部１４が選択した原稿画像ＩとＩＩＩに画像データ付加部１６が縮小して付加することにより実現される。この場合には、白紙原稿ＩＩは、ログ画像データとしての原稿画像ＩとＩＩＩよりも小さなサイズまで縮小するのが好適である。なお、本例では、画像データ検知部１２が、検知した白紙原稿ＩＩを画像データ付加部１６に通知し、あるいは利用者が予めジョブの内容等として白紙原稿ＩＩを縮小して付加する旨を画像データ付加部１６に指示する構成とする。白紙原稿ＩＩの縮小画像は、予め記憶しておいた画像データを使用してもよいし、画像データ付加部１６で白紙原稿ＩＩの縮小処理をしてもよい。
【００４４】
図３（ｄ）の例では、図３（ｃ）の例において、縮小された白紙原稿ＩＩに、白紙である旨の文字データ「白紙」が付加されている。この文字データは、画像データ付加部１６が、管理サーバ３００における検索処理を容易化するための検索語情報として白紙原稿ＩＩに付加する。なお、検索語情報としての文字データを含んだ縮小画像データを予め記憶しておき、画像データ付加部１６が読み出してログ画像生成部１８に渡す構成としてもよい。
【００４５】
図３（ｅ）の例では、図３（ｃ）の例において、白紙原稿ＩＩの代わりに、付加される画像データが白紙原稿である旨を表す情報（白紙情報）が付加されている。この白紙情報を受け取った管理サーバ３００では、白紙情報に対応する白紙原稿の縮小画像を記憶部２４に予め保持しておき、この白紙原稿の縮小画像を読み出して、複合機２００から受け取ったログ画像データに付加して記憶する。なお、この白紙情報も、画像データ選択部１４が選択した画像データに画像データ付加部１６が付加する。
【００４６】
図４には、イメージログを作成する際に、流出管理をしない所定の画像データの取扱いを設定するための情報入力画面の例が示される。図４の例は、画像データ検知部１２が検知した白紙原稿等の処理を、利用者（管理者）が予め設定するための画面である。
【００４７】
図４において、検知した原稿の種類が「白紙」、「合紙」、「ユーティリティプリント」、「表紙」である場合のそれぞれについて、所定の処理を選択することができる構成となっている。なお、利用者は、変更ボタン２８を押下することにより、処理内容を変更することができる構成となっている。この処理内容の変更は、図５に示される画面を使用して行う。
【００４８】
図５には、上記処理内容を変更するための情報入力画面の例が示される。図５は、流出管理をしない所定の画像データとして白紙原稿が検知されたを場合の例である。図５において、設定値として選択可能な処理は、「最小画像で代用する」すなわち白紙原稿を他のログ画像より小さいサイズの最小画像に縮小してログ画像データに含める処理、「ログ画像を作成しない」すなわち白紙原稿を除いてログ画像データを作成する処理、「ＯＣＲ検知（光学式文字読取処理による検索）に最適な代用画像を使用する」すなわち最小画像に縮小した白紙原稿に「白紙」等の文字データを付加する処理及び「通常どおり作成する」すなわち白紙原稿も含めてログ画像データを作成する処理がある。利用者（管理者）は、図５に設けられた選択ボタン３０を選択して押下することにより、画像データ検知部１２が白紙原稿等の流出管理をしない所定の画像データを検知した場合の処理を選択することができる。
【００４９】
図６には、本実施形態にかかる画像処理システムの動作例のフローが示される。なお、本例は、画像データ検知部１２が白紙原稿を検知した場合の動作例である。図６において、アプリケーション２６等からジョブ取得部１０がジョブを取得すると（Ｓ１）、画像データ検知部１２がジョブに含まれる画像データを読み出す（Ｓ２）。読み出した画像データの中に、白紙原稿が含まれている場合に、画像データ検知部１２は、図４で示された情報入力画面等から設定された白紙原稿に対する処理内容を読み出す（Ｓ３）。
【００５０】
Ｓ３において読み出した処理内容が、白紙原稿のログ画像データを作成しない処理である場合には（Ｓ４）、検出した白紙原稿を流出管理をしない所定の画像データとして画像データ選択部１４に通知する。これにより、画像データ選択部１４は、ジョブに含まれる画像データから上記白紙原稿を除いた画像データをログ画像生成部１８に渡し、白紙原稿を除いたログ画像データを作成する（Ｓ５）。
【００５１】
一方、Ｓ４において、白紙原稿のログ画像データを作成する処理である場合には、画像データ検知部１２は、上記白紙原稿に対する処理内容が最小画像で代用する処理であるか否かを判定する（Ｓ６）。最小画像で代用する処理である場合には、最小画像に縮小した白紙原稿を含めてログ画像データを作成する（Ｓ７）。この最小画像は、画像データ付加部１６が白紙原稿を縮小処理して生成してもよいし、適宜な記憶手段に記憶した画像データを読み出して使用してもよい。
【００５２】
また、Ｓ６において、最小画像で代用する処理でない場合には、他のログ画像と同じサイズの白紙原稿を含めてログ画像データを作成する（Ｓ８）。Ｓ８のステップは、図５の情報入力画面において、「通常どおり作成する」処理が選択された場合に相当する。
【００５３】
上述した図６の各ステップを実行するためのプログラムは、記録媒体に格納することも可能であり、また、そのプログラムを通信手段によって提供することもできる。その場合、例えば、上記説明したプログラムについて、「プログラムを記録したコンピュータ読み取り可能な記録媒体」の発明として捉えることもできる。
【００５４】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
【００５５】
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
【００５６】
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
【００５７】
さらに、上記のプログラムは、他のプログラムの一部分であってもよく、あるいは別個のプログラムと共に記録媒体に記録されていてもよい。また、複数の記録媒体に分割して
記録されていてもよい。
【図面の簡単な説明】
【００５８】
【図１】本発明にかかる画像処理装置の一実施形態の機能ブロック図である。
【図２】本発明にかかる画像処理システムの構成例を示す図である。
【図３】ログ画像データの説明図である。
【図４】流出管理をしない所定の画像データの取扱いを設定するための情報入力画面の例を示す図である。
【図５】流出管理をしない所定の画像データの処理内容を変更するための情報入力画面の例を示す図である。
【図６】本発明にかかる画像処理システムの動作例のフロー図である。
【符号の説明】
【００５９】
１０  ジョブ取得部、１２  画像データ検知部、１４  画像データ選択部、１６  画像データ付加部、１８  ログ画像生成部、２０  ログ画像転送部、２２  画像データ出力部、２４  記憶部、２６  アプリケーション、２８  変更ボタン、３０  選択ボタン、１００  クライアントコンピュータ、２００  複合機、３００  管理サーバ、４００  通信手段。
【図１】
2008225928.tif 000003
【図２】
2008225928.tif 000004
【図３】
2008225928.tif 000005
【図４】
2008225928.tif 000006
【図５】
2008225928.tif 000007
【図６】
2008225928.tif 000008